(57)【要約】【課題】海底ケーブル等の長尺体を撤去回収する際に生ずる鎧装鉄線等の落下物を、当該長尺体の撤去回収作業に合わせて補集し回収することが可能で、その補集・回収効率も高い水底布設用長尺体からの落下物の回収装置を提供する。【解決手段】海底ケーブル２の径寸法よりも相対的に大きな内径寸法の開口部４３を有すると共に海底ケーブル２から落下する鎧装鉄線を補集可能な袋体４２から主として成り、袋体４２の開口部４３側は錘４８が取り付けられて海底に接することができる程に相対的に重い構成となっており、海中において、海底ケーブル回収船１から、海底ケーブル２の回収側とは反対側にて開口部４３が海底ケーブル２側を向くようワイヤ５１、５１で吊り下げられたものとする。【選択図】図７
2008271635.tif 000002
【特許請求の範囲】
【請求項１】
水底布設用長尺体を巻き上げるための動力を提供する動力源と、巻き上げられた前記水底布設用長尺体を適宜巻き取る巻取装置又はターンテーブルとを少なくとも備える水底布設用長尺体の回収装置と組み合わせることで用いられ、
前記水底布設用長尺体の径寸法よりも相対的に大きな内径寸法の開口部と前記開口部の軸方向側とは外れた位置に開口して前記水底布設用長尺体を挿通可能な引出口とを有すると共に前記水底布設用長尺体からの落下物を捕集可能な袋体を備え、この袋体の開口部側は水底に接することができる程に相対的に重い構成となっており、
水中において、前記開口部から前記袋体内に挿入された前記水底布設用長尺体を前記引出口から前記袋体外に引き出して成ることを特徴とする水底布設用長尺体からの落下物の回収装置。
【請求項２】
水底布設用長尺体を巻き上げるための動力を提供する動力源と、巻き上げられた前記水底布設用長尺体を適宜巻き取る巻取装置又はターンテーブルとを少なくとも備える水底布設用長尺体の回収装置と組み合わせることで用いられ、
前記水底布設用長尺体の径寸法よりも相対的に大きな内径寸法の開口部を有すると共に前記水底布設用長尺体からの落下物を捕集可能な袋体を備え、この袋体の開口部側は水底に接することができる程に相対的に重い構成となっており、
水中において、前記水底布設用長尺体の回収装置が設置された水上移動体から、前記水底布設用長尺体の回収側とは反対側にて、前記開口部がこの水底布設用長尺体側を向くよう複数の線状部材で吊り下げられていることを特徴とする水底布設用長尺体からの落下物の回収装置。
【請求項３】
前記袋体は、前記開口部の開口縁から引出口の開口縁までに延びる切欠きを有し、この切欠きは開閉手段により開閉自在であることを特徴とする請求項１又は請求項２に記載の水底布設用長尺体からの落下物の回収装置。
【請求項４】
前記水底布設用長尺体にはこの水底布設用長尺体からの落下物を回収容易な方向に可変するための方向変更用器具が取り付けられていることを特徴とする請求項２又は請求項３に記載の水底布設用長尺体からの落下物の回収装置。
【請求項５】
前記袋体を前記水上移動体から線状部材で吊り下げた際に前記開口部よりも水上移動体側となるように攪拌器具を前記線状部材に配したことを特徴とする請求項２、請求項３又は請求項４のいずれかに記載の水底布設用長尺体からの落下物の回収装置。
【発明の詳細な説明】
【技術分野】
【０００１】
この発明は、海底等の水底に布設されたケーブル等の長尺体を撤去、回収する際に当該長尺体から落下した鎧装鉄線等の落下物を回収するのに好適な装置に関する。
【背景技術】
【０００２】
海底ケーブルを海底に布設するにあたりケーブルコアを保護するために、特許文献１に示されるように、ケーブルコアの周囲に複数の鎧装鉄線から成る鎧装部を設けている。
【０００３】
一方、海底ケーブルの平均的寿命は例えば３０年前後が中心とされているため、少なくとも寿命に至る前までの周期で既設の海底ケーブルを撤去して新たな海底ケーブルを布設する必要があり、海底ケーブルの回収作業は、例えば、特許文献２及び３に示されるような海底ケーブル回収船を用いて行われる。
【０００４】
もっとも、海底ケーブルの鎧装部を構成する鎧装鉄線は、潮流による起電力等に基づく電食作用より損傷しているので、上記の海底ケーブル回収船を使用しての海底ケーブルの回収作業では、損傷した鎧装鉄線の一部が海底ケーブルを巻き取る際に落下し、海底に残置される可能性がある。これに伴い、例えば、海底ケーブルの回収後に、休漁中の沖合底曳網船等に依頼して海底ケーブルが布設されていたルートに沿って底曳網をかけることで、残置された鎧装鉄線を回収する作業が行われていた。
【特許文献１】特開平８−８８９１６号公報
【特許文献１】特開平１１−２３４８３５号公報
【特許文献２】特開２０００−１３９０１３号公報
【発明の開示】
【発明が解決しようとする課題】
【０００５】
しかしながら、底曳網による回収では、海底から隆起した岩や海底面の起伏した形状等により網が浮き上がり、海底に残置された鎧装鉄線の回収が不十分となるという不都合を有する。また、海底ケーブル回収後に鎧装鉄線の回収を改めて行うと、海底ケーブルの撤去作業に要する総合的な時間が長期化するという不具合もある。
【０００６】
そして、このような回収漏れの鎧装鉄線が海底に存在すると、通常の底曳網漁の際に、当該鎧装鉄線が底曳網に掛かって底曳網の装置を損傷させてしまい、これに伴い、底曳網船の船主や船員等に底引き網装置の補修費や補修が完了するまでの休業補償費等を支払わなければならないので、多額の金銭的負担が発生するおそれがある。
【０００７】
そこで、本発明は、海底ケーブル等の長尺体を撤去、回収する際に生ずる鎧装鉄線等の落下物を、当該長尺体の撤去、回収作業に合わせて補集、回収することが可能で、その補集、回収効率も高い、水底布設用長尺体からの落下物の回収装置を提供することを目的とする。
【課題を解決するための手段】
【０００８】
この発明に係る水底布設用長尺体からの落下物の回収装置は、水底布設用長尺体を巻き上げるための動力を提供する動力源と、巻き上げられた前記水底布設用長尺体を適宜巻き取る巻取装置又はターンテーブルとを少なくとも備える水底布設用長尺体の回収装置と組み合わせることで用いられ、前記水底布設用長尺体の径寸法よりも相対的に大きな内径寸法の開口部と前記開口部の軸方向側とは外れた位置に開口して前記水底布設用長尺体を挿通可能な引出口とを有すると共に前記水底布設用長尺体からの落下物を捕集可能な袋体を備え、この袋体の開口部側は水底に接することができる程に相対的に重い構成となっており、水中において、前記開口部から前記袋体内に挿入された前記水底布設用長尺体を前記引出口から前記袋体外に引き出して成ることを特徴としている（請求項１）。水底布設用長尺体は、例えば海底ケーブル等である。落下物は、例えば鎧装部のうち電食で損傷した鎧装鉄線等である。動力源は、例えば無限軌道（キャタピラ）式ブレーキ装置やターンテーブルが有する動力源等である。無限軌道（キャタピラ）式ブレーキ装置は、水底布設用長尺体の巻取りに制動をかけるブレーキ装置としても機能する。袋体は網状をなしている。袋体の開口部側を水底に接することができる程に相対的に重くする手段として、例えば錘が開口部に取り付けられたものとなっている。これらは、後述する水底布設用長尺体からの落下物の回収装置でも同様である。
【０００９】
これにより、袋体の開口側を水底に接することができる程に相対的に重くすることにより、水底の起伏した形状や岩に影響を受けて水底から浮き上がるのを回避されるので、袋体に入る前に水底布設用長尺体から水底に落下した落下物は開口部から袋体内に効率良く補集される。また、水底布設用長尺体は、水中のうち最も落下物が発生しやすい海面への浮き上がり開始位置にて袋体で覆われることで、この袋内で水底布設用長尺体から落下した落下物はそのまま袋体により補集される。そして、これらの落下物の補集は、水底布設用長尺体の撤去、回収作業と合わせて行われる。
【００１０】
また、この発明に係る水底布設用長尺体からの落下物の回収装置は、水底布設用長尺体を巻き上げるための動力を提供する動力源と、巻き上げられた前記水底布設用長尺体を適宜巻き取る巻取装置又はターンテーブルとを少なくとも備える水底布設用長尺体の回収装置と組み合わせることで用いられ、前記水底布設用長尺体の径寸法よりも相対的に大きな内径寸法の開口部を有すると共に前記水底布設用長尺体からの落下物を捕集可能な袋体を備え、この袋体の開口部側は水底に接することができる程に相対的に重い構成となっており、水中において、前記水底布設用長尺体の回収装置が設置された水上移動体から、前記水底布設用長尺体の回収側とは反対側にて、前記開口部がこの水底布設用長尺体側を向くよう複数の線状部材で吊り下げられていることを特徴としている（請求項２）。水上移動体とは、例えば海底ケーブル回収船である。
【００１１】
これにより、袋体の開口部を水底に接することができる程に相対的に重くすることにより、水底の起伏した形状や岩に影響を受けて水底から浮き上がるのを回避されるので、水上移動体の前方で巻き上げられる水底布設用長尺体から水底に落下した落下物は、開口部から袋体内に効率良く補集される。そして、これらの落下物の補集は、水底布設用長尺体の撤去、回収作業と合わせて行われる。
【００１２】
そして、前記袋体は、前記開口部の開口縁から引出口の開口縁までに延びる切欠きを有し、この切欠きは開閉手段により開閉自在であることを特徴としている（請求項３）。これにより、切欠きを開いて袋体内に水底布設用長尺体を収納し、水底布設用長尺体の一方が開口部から出て、水底布設用長尺体の他方が引出口から出るように切欠きを閉じることで、水底布設用長尺体の長手方向の途中の任意の場所において、袋体を装着することができる。  
【００１３】
また、請求項２、請求項３に記載の水底布設用長尺体からの落下物の回収装置にあっては、前記水底布設用長尺体にはこの水底布設用長尺体からの落下物を回収容易な方向に可変するための方向変更用器具が取り付けられていることを特徴とする（請求項４）。これにより、水底布設用長尺体から落下した落下物を袋体のネットから抜け出ない方向に変更することができ、落下物の補集、回収効率をより一層向上させることができる。
【００１４】
更に、請求項２、請求項３、請求項４に記載の水底布設用長尺体からの落下物の回収装置にあっては、前記袋体を前記水上移動体から線状部材で吊り下げた際に前記開口部よりも水上移動体側となるように攪拌器具を前記線状部材に配したことを特徴とする（請求項５）。これにより、水底に沈んだ状態の落下物を水中に浮き上がらせて、袋体の開口部からの落下物の補集、回収効率をより一層向上させることができる。
【発明の効果】
【００１５】
以上のように、請求項１に記載の発明によれば、袋体の開口部が水底に接することができる程に相対的に重くなっていることで、水底の起伏した形状や岩に影響を受けて水底から浮き上がるのを回避されるため、袋体に入る前に水底に落下した落下物は開口部から袋体内に効率良く補集されるので、鎧装鉄線等の落下物の回収を効率よく且つ十分に行うことが可能である。また、水底布設用長尺体が、水中のうち最も落下物が発生しやすい海面への浮き上がり開始位置にて袋体で覆われており、この袋内で水底布設用長尺体から落下した落下物はそのまま袋体により補集される。これに伴い、落下物が水底に残置して、底曳網に掛かって底曳網の装置を損傷させることを回避することができ、当該底曳網の装置の補修費や漁船の船主や船員への補償費などで多額の金額の負担が発生するのを防止することができる。また、水底布設用長尺体から落下した落下物の回収作業は、水底布設用長尺体の回収作業と合わせて行うことができるので、作業全般の必要時間の短縮化を図ることが可能である。
【００１６】
特に請求項２に記載の発明によれば、袋体の開口部が水底に接することができる程に相対的に重くなっていることで、水底の起伏した形状や岩に影響を受けて水底から浮き上がるのを回避されるため、水上移動体の前方で水底布設用長尺体から水底に落下した落下物は開口部から袋体内に効率良く補集されるので、鎧装鉄線等の落下物の回収を効率よく且つ十分に行うことが可能である。これに伴い、落下物が水底に残置して、底曳網に掛かって底曳網の装置を損傷させることを回避することができ、当該底曳網の装置の補修費や漁船の船主や船員への補償費などで多額の金額の負担が発生するのを防止することができる。また、水底布設用長尺体から落下した落下物の回収作業は、水底布設用長尺体の回収作業と合わせて行うことができるので、作業全般の必要時間の短縮化を図ることが可能である。
【００１７】
特に請求項３に記載の発明によれば、水底布設用長尺体からの落下物の回収装置を構成する袋体に対し、切欠きを開いて袋体内に水底布設用長尺体を収納し、水底布設用長尺体の一方が開口部から出て、水底布設用長尺体の他方が引出口から出るように切欠きを閉じることで、水底布設用長尺体の長手方向の途中の任意の場所において、当該袋体を装着することができるので、袋体の脱着作業の容易化を図ることができる。
【００１８】
特に請求項４に記載の発明によれば、水底布設用長尺体からの落下物の回収装置を構成する袋体が、水中において、前記水底布設用長尺体の回収装置が設置された水上移動体から、前記水底布設用長尺体とは反対側にて、前記開口部がこの水底布設用長尺体側を向くよう複数の線状部材で吊り下げられている場合には、水底布設用長尺体から落下した落下物を袋体のネットから抜け出ない方向に変更することができ、落下物の補集、回収効率をより一層向上させることができる。
【００１９】
特に請求項５に記載の発明によれば、水底布設用長尺体からの落下物の回収装置を構成する袋体が、水中において、前記水底布設用長尺体の回収装置が設置された水上移動体から、前記水底布設用長尺体とは反対側にて、前記開口部がこの水底布設用長尺体側を向くよう複数の線状部材で吊り下げられている場合には、水底に沈んだ状態の落下物を水中に浮き上がらせて、袋体の開口部からの落下物の補集、回収効率をより一層向上させることができる。
【発明を実施するための最良の形態】
【００２０】
以下、この発明の実施形態について図面により説明する。
【００２１】
図１において、水底布設用長尺体を回収するための水上移動体の一例として、海底ケーブル回収船１が示されている。この海底ケーブル回収船１は、海底ケーブル２を回収するためのもので、海上に浮揚可能な船体３を有し、この船体３には、回転シーブ４、ブレーキ装置６及び巻取装置１３から主としてなる海底ケーブル回収装置が設けられている。
【００２２】
このうち、海底ケーブル２は、図示しないが、ケーブルコアの周囲に、当該ケーブルコアを保護するために複数の細長い鎧装鉄線を組み合わせて成る鎧装部を設けた公知のものである。
【００２３】
回転シーブ４は、船体３の船首に回転自在に設けられるもので、巻き上げられた海底ケーブル２がこの回転シーブ４の側周面に掛け回された後、ブレーキ装置６側に案内される。
【００２４】
ブレーキ装置６は、この実施形態では、図２に示されるように、ローラー９が船体３に対し縦方向に配置されてなる一対のキャタピラ７、８により構成され、海底ケーブル２を、当該海底ケーブル２の径方向で且つ船体３の幅方向に沿うかたちで、キャタピラ７、８間に挟持する構成となっている。これにより、ブレーキ装置６は海底ケーブル２の巻上げのための動力源となる。すなわち、キャタピラ７が図２上において反時計回りに回転し、キャタピラ８が図２上において時計回りに回転することにより、当該ブレーキ装置６が動力源となって海底ケーブル２は、巻取装置１３側に押し上げられる。一方、ブレーキ装置６のキャタピラ７が図２上において時計回りに回転し、キャタピラ８が反時計回りに回転することで、海底ケーブル２の押し上げが規制される。
【００２５】
尚、ブレーキ装置６と巻取装置１３のケーブル塔１５との間の箇所において、図２に示されるように、補助動力源としてホーリングマシン１０を用いても良い。このホーリングマシン１０は、略水平方向に並設されたローラー１１とこのローラーに対し回転を与える動力源１２とで基本的に構成されている。
【００２６】
巻取装置１３は、水中から巻き上げた海底ケーブル２をコイル状に巻き回して回収するための装置であり、送出用部材１４と、ケーブル塔１５と、収納部１６とで構成されている。
【００２７】
このうち、送出用部材１４は、その上方に海底ケーブル２が沿って動くことのできる面１４ａを有すると共に、ブレーキ装置６のキャタピラ７、８間の空間と連接されており、ブレーキ装置６で押し上げられた海底ケーブル２はこの送出用部材１４の基部から先端部まで更に押し上げられる。ケーブル塔１５は、回転棒１７と斜面部１８とを有して構成され、斜面部１８はその上方に海底ケーブル２が沿って動くことのできる傾斜面１８ａを有すると共に、回転棒１７により自在に回転することができる。ケーブル塔１５に対する回転力は、例えば作業員がロープ５を持って引っ張ることで与えられる。収納部１６は上方に開口した筒状のもので、海底ケーブル２がコイル状に巻き回して収納される。尚、収納部１６の船体３から立設した壁部は海底ケーブル２からの漏油防止堤も兼ねている。
【００２８】
これにより、ブレーキ装置６の押し上げ方向への稼働によって、水中から巻き上げられた海底ケーブル２は、回転シーブ４、ブレーキ装置５のキャタピラ７、８間及び巻取装置１３の送出用部材１４に至り、更にこの送出用部材１４の先端からケーブル塔１５に至るが、この際にロープ５を持ってケーブル塔１５を回転させることにより、海底ケーブル２は収納部１６内にコイル状に収納される。
【００２９】
更に、海底ケーブル回収船１は、図４及び図５に示されるように、進行方向の前方となる海底に設置されるアンカー２１、２２と、進行方向の後方となる海底に設置されるアンカー２３、２４とを有している。このうち、アンカー２１から海底ケーブル回収船１の船体３まではアンカーワイヤ２５が布設されており、このアンカーワイヤ２５はウィンチ２６又は２７により送出され又は巻取られる。また、アンカー２２から海底ケーブル回収船１の船体３まではアンカーワイヤ２８が布設されており、このアンカーワイヤ２８はウィンチ２９又は３０により送出され又は巻取られる。更に、アンカー２３から海底ケーブル回収船１の船体３まではアンカーワイヤ３１が布設されており、このアンカーワイヤ３１はウィンチ３２又は３３により送出され又は巻取られる。更にまた、アンカー２４から海底ケーブル回収船１の船体３まではアンカーワイヤ３４が布設されており、このアンカーワイヤ３４はウィンチ３５又は３６により送出され又は巻取られる。
【００３０】
ウィンチ２６と２７、ウィンチ２９と３０、ウィンチ３２と３３、及び、ウィンチ３５と３６とは、アンカーを打ち替えるために２台必要とされているもので、この実施形態では、船体３の幅方向に沿って並設される形で配された横２列方式が採られているが、必ずしもこれに限定されず、船体３の進行方向に沿って並設される縦２列方式を採っても良い。また、各ウィンチ２６、２７、２９、３０、３２、３３、３５、３６には、図示しないが、アンカーワイヤ２５、２８、３１、３４の送出及び巻取りのための回転を規制するブレーキ装置を有している。尚、３７はクレーン、３８は鎧装鉄線が回転シーブ４から海中に落下するのを防止するための落下防止網であり、また、海底ケーブル回収船１の周囲に配置されている４隻の船は、警戒船３９である。
【００３１】
上記の構成により、海底ケーブル回収船１は、以下の動作を繰り返すことにより、海底ケーブル２を回収しつつ図４及び図５で図示される矢印方向に移動する。すなわち、アンカー２１、２２を海底ケーブル回収船１の約２００ｍ前方の海底に設置すると共にアンカー２３、２４を海底ケーブル回収船１の約２００ｍ後方の海底に設置する。アンカー２１とアンカー２２との間、及びアンカー２３とアンカー２４との間も、約４２０ｍほど採る必要がある。そして、アンカー２１、２２については、ウィンチ２６又は２７の一方、ウィンチ２９又は３０の一方を用いて巻取り動作を行い、アンカー２３、２４については、ウィンチ３２又は３３の一方、ウィンチ３２又は３３の一方を用いて延伸動作を行う。次に、アンカー２１、２２と海底ケーブル回収船１とが相対的に一定範囲内までに近接し、アンカー２３、２４と海底ケーブル回収船１とが相対的に一定範囲以上に離れた場合には、アンカー２１、２２を打ち替えて、ウィンチ２６又は２７の他方、ウィンチ２９又は３０の他方を用いて巻取り動作を行うと共に、アンカー２３、２４を打ち替えて、ウィンチ３２又は３３の他方、ウィンチ３２又は３３の他方を用いて延伸動作を行う。あとはこの動作の繰り返しである。
【００３２】
ところで、この実施形態では、図４乃至図６に示されるように、海底ケーブル２からの落下した鎧装鉄線を回収するための回収装置４１を、海底ケーブル回収船１の進行方向の前方に有している。この回収装置４１は、主に袋体４２により構成されている。
【００３３】
この袋体４２は、鎧装鉄線を捕集可能な大きさの網目の網状をなしていると共に、その使用時において、図６（ｂ）に示されるように、海底ケーブル２の径寸法よりも相対的に大きな内径寸法の開口部４３とこの開口部４３の軸方向側とは外れた位置に開口して海底ケーブル２を挿通可能な引出口４４とを有したものとなっている。そして、袋体４２は、図６（ａ）に示されるように、開口部４３の開口縁から引出口４４の開口縁までに延びる切欠き４５を有し、この切欠き４５のうち開口部４３側の両側に例えばホックやファスナー等の開閉器具４６、４７を有している。これにより、切欠き４５を開いて開口部４３と引出口４４とを一体的な開口部として、海底ケーブル２を、開口部４３から出ると共に引出口４４となる部位からも出るように配置した後、切欠き４５を開閉器具４６、４７により閉じることで、海底ケーブル２の長手方向の途中の任意の箇所において、袋体４２を装着することができる。
【００３４】
また、この袋体４２は、図６にも示されるように開口部４３に錘４８が取り付けられている。これにより、袋体４２は、図４に示されるように、開口部４３側が海底に接することができる程に相対的に重くなることから、海底の起伏した形状や岩に影響を受けて海底から袋体４２の開口部４３側が浮き上がるのを回避されるので、袋体４２に入る前に海底ケーブル２から海底に落下した鎧装鉄線は開口部４３から袋体４２内に効率良く補集される。尚、開口部４３自体を相対的に重くすることで錘の役割を果たすようにしても良い。
【００３５】
図７から図９において、この発明の他の実施形態が示されている。以下、この発明の他の実施形態について説明する。但し、先の実施形態と同様の構成については同一の符号を付してその説明を省略する。
【００３６】
この海底ケーブル回収船１は、先の実施形態と同様に、海底ケーブル２を回収するためのもので、海上に浮揚可能な船体３を有し、この船体３には、回転シーブ４、ブレーキ装置６及びターンテーブル５０から主としてなる海底ケーブル回収装置が設けられている。
このターンテーブル５０は、船体３に回動自在に取り付けられているもので、海底ケーブル２を巻き取るための動力源と海底ケーブル２を収納するための収納空間とをその内部に有している。そして、ターンテーブル５０は、この実施形態では、側面に前記収納空間と連通した開口部が設けられおり、ターンテーブル５０が動力源により回転して、ブレーキ装置６で押し出された海底ケーブル２が、この開口部からターンテーブル５０の収納空間の下部に巻き取られ、コイル状に収納されるようになっている。もっとも、ターンテーブル５０の上部に収納空間と連通した開口部を設けて、この開口部から海底ケーブル２がターンテーブル５０内の収納部に巻き取られ、コイル状に収納されるようにしても良い。
【００３７】
そして、海底ケーブル２からの落下した鎧装鉄線を回収するための回収装置４１は、海底ケーブル回収船１の進行方向の前方側の方向変更用器具５５と、海底ケーブル回収船１の進行方向の後方側の袋体４２及び攪拌器具５２とで構成されている。
【００３８】
このうち、袋体４２は、鎧装鉄線を捕集可能な大きさの網目の網状をなしていると共に、海底ケーブル２の径寸法よりも相対的に大きな内径寸法の開口部４３を有したものとなっている。そして、開口部４３には錘４８が取り付けられて、袋体４２の開口部４３側が海底に接する程に相対的に重くなっている。また、開口部４３は海底ケーブル回収船１の船尾から延びるワイヤ５１、５１と連結されており、これにより袋体４２は開口部４３が海底ケーブル２側を向いた状態で海底ケーブル回収船１と共に移動する。
【００３９】
攪拌器具５２は、ワイヤ５１と５１との間に掛け渡されたロープ５３とこのロープ５３に設けられた多数の線状体５４とで構成されたブラシ状のもので、この線状体５４が海底面に接することで、海底面が攪拌されて鎧装鉄線が海中に浮き上がり、袋体４２への鎧装鉄線の回収を容易にしている。
【００４０】
方向変更用器具５５は、図９に示されるように、２つの径寸法の異なる環状部材５６と、この環状部材５６、５７間に架設された線状部材５８とで構成されている。環状部材５６、５７の双方とも海底ケーブル２の外径よりも大きな内径寸法を有している。また、線状部材５８は、例えば鉄等で構成されている鉄線で、例えば約１ｍの長手方向寸法を有していると共に、先端が環状部材５７よりも突出して突起５８ａを形成している。これにより、方向変更用器具５５を海底ケーブル２に外装した場合には、方向変更用器具５５の突起部５８ａが海底に落ちた鎧装鉄線を袋体４２で回収可容易な向きに変更することが可能であるので、鎧装鉄線の回収効率が更に向上する。
【００４１】
尚、巻取装置１３を有する海底ケーブル回収装置と海底ケーブル回収船１の進行方向の前方側に配された袋体４２で主としてなる回収装置４１、ターンテーブル５０を有する海底ケーブル回収装置と海底ケーブル回収船１の進行方向の前方側に配された方向変更用器具５５及び海底ケーブル回収船１の進行方向の後方側に配された袋体４２、攪拌器具５２からなる回収装置４１の組み合わせで説明したが必ずしもこれに限定されない。例えば、
巻取装置１３を有する海底ケーブル回収装置と海底ケーブル回収船１の進行方向の前方側に配された方向変更用器具５５及び海底ケーブル回収船１の進行方向の後方側に配された袋体４２、攪拌器具５２からなる回収装置４１の組み合わせであっても良い。
【図面の簡単な説明】
【００４２】
【図１】図１は、この発明に係る水底布設用長尺体からの落下物の回収装置が用いられる海底ケーブル回収船の概略構成を示す平面図である。
【図２】図２は、ブレーキ装置及びホーリングマシンの概略構成を説明するための平面図である。
【図３】図３は、巻取装置の概略構成を説明するための側面図である。
【図４】図４は、同上の海底ケーブル回収船での水底布設用長尺体からの落下物の回収装置の使用の一例を示す側面図である。
【図５】図５は、同上の海底ケーブル回収船での水底布設用長尺体からの落下物の回収装置の使用の一例を示す平面図である。
【図６】図６は、水底布設用長尺体からの落下物の回収装置の主要な器具である袋体の構成を示す説明図であり、図６（ａ）は、袋体が海底ケーブルを装着するために開口部と引出口とが連通した状態となっていることを示す平面図で、図６（ｂ）は、ファスナー等の締結手段により閉じることで開口部と引出口とが非連通となった状態を示す平面図である。
【図７】図７は、海底ケーブル回収船での水底布設用長尺体からの落下物の回収装置の使用例のうち図７とは異なる例を示す側面図である。
【図８】図８は、海底ケーブル回収船での水底布設用長尺体からの落下物の回収装置の使用例のうち図４とは異なる例を示す平面図である。
【図９】図９は、方向変更用器具の略構成を説明するための側面図及び正面図である。
【符号の説明】
【００４３】
１  海底ケーブル回収船（水上移動体）
２  海底ケーブル（水底布設用長尺体）
３  船体
４  回転シーブ
５  ロープ
６  ブレーキ装置
７  キャタピラ
８  キャタピラ
９  ローラー
１０  ホーリングマシン
１１  ローラー
１２  動力源
１３  巻取装置
１４  送出用部材
１４ａ  面
１５  ケーブル塔
１６  収納部
１７  回転棒
１８  傾斜面部
１８ａ  傾斜面
２１乃至２４  アンカー
２５  アンカーワイヤ
２６、２７  ウィンチ
２８  アンカーワイヤ
２９、３０  ウィンチ    
３１  アンカーワイヤ
３２、３３  ウィンチ
３４  アンカーワイヤ
３５、３６  ウィンチ
３７  クレーン
２７  チューブ
３８  落下防止網
３９  警戒船
４１  回収装置（水底布設用長尺体からの落下物回収装置）
４２  袋体
４３  開口部
４４  引出口
４５  切欠き
４６  開閉器具
４７  開閉器具
４８  錘
５０  ターンテーブル
５１  ワイヤ（線状部材）
５２  攪拌器具
５３  ロープ
５４  線状体
５５  方向変更用器具
５６  環状部材
５７  環状部材
５８  線状部材
５８  突起部
【図１】
2008271635.tif 000003
【図２】
2008271635.tif 000004
【図３】
2008271635.tif 000005
【図４】
2008271635.tif 000006
【図５】
2008271635.tif 000007
【図６】
2008271635.tif 000008
【図７】
2008271635.tif 000009
【図８】
2008271635.tif 000010
【図９】
2008271635.tif 000011